【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
関連するロック用のキーを同定する持ち運び可能な電子システムにおいて：
複数のキーをグループ分けする手段と；
前記複数のキーをグループ分けする手段上で前記キーを同定するインディケータと；
前記ロックに関連する信号に応答して、前記キーを同定するインディケータを始動させる手段と；
を具えることを特徴とするシステム。
【請求項２】
請求項１に記載のシステムがさらに、持ち運び可能な電源手段から電源を取るように構成されていることを特徴とするシステム。
【請求項３】
請求項１に記載のシステムにおいて、前記信号が：音声入力、キーボード入力、ＧＰＳ座標、ディスプレイ手段からのメニュー選択、あるいは人間が読み取り可能な特徴；のうちの少なくとも一つから取り出されることを特徴とするシステム。
【請求項４】
請求項１に記載のシステムにおいて、前記信号が前記ロックに関連する記述的情報を具えることを特徴とするシステム。
【請求項５】
請求項１に記載のシステムにおいて、前記ロックに関連する信号に応答する前記手段が：音声入力手段、音声認識手段、キーボード手段あるいは撮像手段；のうちの少なくとも一つを具えることを特徴とするシステム。
【請求項６】
請求項１に記載のシステムにおいて、前記信号が、前記ロックに関連するロックＩＤ手段から取り出されたものであり、好ましくは、前記ロックＩＤが前記関連するロック近傍に配置されていることを特徴とするシステム。
【請求項７】
請求項６に記載のシステムがさらに、ロックＩＤ手段を読み取る手段を具えることを特徴とするシステム。
【請求項８】
請求項７に記載のシステムにおいて、前記ロックＩＤが電気的に動作可能であり、好ましくは、前記ロックＩＤ手段が無線周波数同定手段か、あるいは単一の導電体上で電力及びデータを転送する手段を具えることを特徴とするシステム。
【請求項９】
請求項１に記載のシステムにおいて、前記信号が前記ロックに関連する電気的に動作可能なメモリストレージ手段から取り出され、好ましくは、前記メモリストレージ手段が前記関連するロックの近傍に配置されていることを特徴とするシステム。
【請求項１０】
請求項１に記載のシステムがさらに：ｉ）前記複数のキーをグループ分けする手段上の第２のキーを同定する第２のインディケータであって、前記第２のキーが第２のロックと共に使用される第２のインディケータ；及びｉｉ）前記第２のキーを同定する前記第２のインディケータを始動する前記第２のロックに関連する信号に応答する手段と；を提供するように構成されており：
前記第１及び第２のインディケータが互いに独立して始動するように構成されており、前記第１のキーに対する第１のインディケータの配置によって、前記第１のインディケータが前記第１のキーと関連することができ、前記第２のキーに対する前記第２のインディケータの配置によって、前記第２のインディケータが前記第２のキーと関連することができることを特徴とするシステム。
【請求項１１】
請求項１０に記載のシステムにおいて、少なくとも前記第１及び第２のキーが、前記複数のキーをグループ分けする手段上でグループ分けされ、少なくとも前記第２のキーが手動で選択された第１のキーから離れて重力の下で回転可能であることを特徴とするシステム。
【請求項１２】
請求項１に記載のシステムにおいて、前記インディケータが：音出力手段、振動手段、あるいは照明手段のうちの少なくとも一つを具えることを特徴とするシステム。
【請求項１３】
請求項１２に記載のシステムにおいて、前記音出力手段の始動が、前記キーに関連して電気的に発生した音声情報の出力を生じさせ、好ましくは、前記キーに関連する情報が、兆候、形状、色あるいはバックグラウンドのうちの少なくとも一つに関係する記述的情報を具えることを特徴とするシステム。
【請求項１４】
請求項１に記載のシステムにおいて、前記インディケータが電気的に照明可能なインディケータを具え、好ましくは当該電気的に照明可能なインディケータの照明時間及び／又は強度をユーザがプログラム可能であることを特徴とするシステム。
【請求項１５】
請求項１に記載のシステムにおいて、前記インディケータがディスプレイを具え、好ましくは前記インディケータの始動が、当該ディスプレイに前記キーに関する情報を表示させることを特徴とするシステム。
【請求項１６】
請求項１５に記載のシステムにおいて、前記キーに関する情報が、兆候、形状、色あるいはバックグラウンドのうちの少なくとも一つを具えることを特徴とするシステム。
【請求項１７】
請求項１に記載のシステムにおいて、前記インディケータの始動が、前記キーに関する情報を出力させ、好ましくは、当該キーに関する情報が、兆候、形状、色あるいはバックグラウンドのうちの少なくとも一つを具えることを特徴とするシステム。
【請求項１８】
請求項１に記載のシステムが更に、キーに関する情報を前記複数のキーをグループ分けする手段に所属することなく出力するように構成されており、好ましくは、前記キーに関連する情報が、兆候、形状、色あるいはバックグラウンドのうちの少なくとも一つを具えることを特徴とするシステム。
【請求項１９】
請求項１に記載のシステムが更に、キーに関連付けられたロックを表示するように構成されており、好ましくは当該キーが複数のキーをグループ分けする手段に所属していないことを特徴とするシステム。
【請求項２０】
請求項１９に記載のシステムが更に、キー記述手段を具えることを特徴とするシステム。
【請求項２１】
請求項１９に記載のシステムが更に、電気的に動作可能なメモリ内に保存された情報を具え、当該情報が前記ロックに関連しており：テキスト、デジタル的に保存された音響、デジタル的に保存された画像、記述、ＧＰＳ座標、ロックＩＤ、あるいはバイナリコードのうちの少なくとも一つを具えることを特徴とするシステム。
【請求項２２】
請求項１９に記載のシステムにおいて、前記キーに関連付けられた情報が前記システムに転送され、好ましくは、前記キーに関連付けられた情報が前記キーに取り付けられる及び／又は一体化されたデバイスによって提供されていることを特徴とするシステム。
【請求項２３】
請求項２２に記載のシステムにおいて、前記情報が、キーＩＤを具え、好ましくは、当該キーＩＤ情報が：電気的に動作可能なメモリ内に保存されたバイナリコード、特徴的兆候、形状、色またはバックグラウンドのうちの少なくとも一つを具えることを特徴とするシステム。
【請求項２４】
請求項１９に記載のシステムにおいて、前記キーに関連付けられたロックが、スピーカ手段またはディスプレイ手段を用いて表示されることを特徴とするシステム。
【請求項２５】
請求項１に記載のシステムが更に、特定の動作のためのキーの方向及び／又はキーの回転の要求された方向を表示するように構成されており、特に、この表示が、スピーカ手段、ディスプレイ手段、あるいは電気的に照明可能なデバイスのうちの少なくとも一つによって始動されることを特徴とするシステム。
【請求項２６】
請求項１に記載のシステムが更に、前記ロックを照らす手段を具えることを特徴とするシステム。
【請求項２７】
請求項２６に記載のシステムにおいて、前記システムが更に、選択的な始動が可能である複数の電気的に動作可能なロック照明デバイスを提供するように構成されており、前記選択的な始動が、好ましくはロックの照明を最適化することを特徴とするシステム。
【請求項２８】
請求項１に記載のシステムにおいて、複数のキーが、複数のキーをグループ分けする手段上でグループ分けされており、好ましくは、前記複数のキーをグループ分けする手段が、前記複数のキーのうちの第１のキーが、前記複数のキーのうちの手動で選択された第２のキーから離れて重力下で回転可能であるように構成されていることを特徴とするシステム。
【請求項２９】
請求項１に記載のシステムにおいて、前記キーが前記複数のキーをグループ分けする手段から取り外し可能であり、好ましくは自動及び／又は電気的手段を用いて当該キーを取り外すことを特徴とするシステム。
【請求項３０】
請求項１に記載のシステムにおいて、前記インディケータが前記キーに物理的に連結されていることを特徴とするシステム。
【請求項３１】
請求項１に記載のシステムにおいて、前記複数のキーをグループ分けする手段が前記インディケータに連結されていることを特徴とするシステム。
【請求項３２】
請求項１に記載のシステムにおいて、前記複数のキーをグループ分けする手段が、前記信号に応答する手段に連結されていることを特徴とするシステム。
【請求項３３】
請求項１に記載のシステムが更に、取り外し可能な装飾的封印手段を具え、好ましくは、自動及び／又は電子的手段が当該封印を取り外すのに使用されることを特徴とするシステム。
【請求項３４】
ロックと共に使用するキー、またはキーによって動作可能なロックのうちの少なくとも一つを同定する方法が、更に：
ａ）前記キーに関連する参照情報と、前記ロックに関連する参照情報をコンピュータでアクセス可能なメモリに保存するステップと；
ｂ）前記キー参照情報の少なくとも一部を、前記ロック参照情報の少なくとも一部に関連付けるステップと；
ｃ）ｉ）前記キーの同定に使用するロックに関連付けた信号、及び／又は、ｉｉ）前記ロックの同定に使用するキーに関連付けた信号：を受信するように構成された持ち運び可能な電子デバイスを使用するステップと；
ｄ）ｉ）前記信号によって提供される及び／又は前記信号から取り出される情報と、ｉｉ）参照情報についてコンピュータで処理するステップであって、
このコンピュータ処理が：
前記キーに関連付けた信号用の前記ロックに関連する同定情報の出力；及び／又は
前記ロックに関連付けた信号用の前記キーに関連する同定情報の出力；
を容易にするものであり、
ｅ）前記同定情報を、可視、可聴、あるいは可触情報の少なくとも一つとして出力するように構成された持ち運び可能な電子デバイスを使用するステップと；
を具えることを特徴とする方法。
【請求項３５】
請求項３４に記載の方法において：前記持ち運び可能な信号受信デバイス及び／又は前記持ち運び可能な出力デバイスが更に、持ち運び可能な電源を受けるように構成されており、好ましくは、前記持ち運び可能な電源が、バッテリ、ソーラパネル、あるいはコンデンサのうちの少なくとも一つで提供されていることを特徴とする方法。
【請求項３６】
請求項３４に記載の方法において、参照情報の保存及び／又は保存された参照情報の編集を、ユーザが制御することを特徴とする方法。
【請求項３７】
請求項３４に記載の方法が更に、前記コンピュータでアクセス可能なメモリ内に保存する参照情報を受信する方法ステップを具えることを特徴とする方法。
【請求項３８】
請求項３７に記載の方法において前記情報を受信する方法が、ロックＩＤ手段及び／又はキーＩＤ手段によって保存された情報を読み取る電気的に動作可能なデバイスを使用するステップを具え、好ましくは、前記ロックＩＤ及び／又はキーＩＤが電気的に動作可能であることを特徴とする方法。
【請求項３９】
請求項３８に記載の方法において、前記情報読み取りのための電気的に動作可能なデバイスが、前記持ち運び可能な信号受信デバイスによって提供されることを特徴とする方法。
【請求項４０】
請求項３４に記載の方法において、前記キー参照情報が：ｉ）前記キーに取り付けた電気的に動作可能なメモリによって保存されているバイナリコード、ｉｉ）前記キーに取り付けられている及び／又は一体化されている、特徴兆候、形状、色またはバックグラウンドに関連する少なくとも一つの情報、又はｉｉｉ）前記キーとの関連用の電気的に動作可能なインディケータの電子アドレス；のうちの少なくとも一つを具え、好ましくは、前記情報が、前記キーに関連付けられており、また前記キー参照情報にも関連付けられている前記信号によって提供された、及び／又は、前記信号から取り出されたものであることを特徴とする方法。
【請求項４１】
請求項３４に記載の方法において、前記ロック参照情報が：ｉ）前記ロックに関連する電気的に動作可能なメモリによって保存されているバイナリコード、ｉｉ）前記ロックに関連する、特徴兆候、形状、色またはバックグラウンド、ｉｉｉ）前記ロックに関連するＧＰＳ情報、ｉｖ）前記ロックに関連する記述的情報、またはｖ）前記ロックに関連する画像情報；のうちの少なくとも一つを具え、好ましくは、前記情報が、前記ロックに関連付けられており、また前記ロック参照情報にも関連付けられている前記信号によって提供された、及び／又は、前記信号から取り出されたものであることを特徴とする方法。
【請求項４２】
請求項３４に記載の方法において、前記コンピュータでアクセス可能なメモリの少なくとも一部が、持ち運び可能な電子デバイスに一体化されており、好ましくは、前記持ち運び可能な電子デバイスも、前記持ち運び可能な信号受信デバイス、及び／又は前記持ち運び可能な出力デバイスを具えることを特徴とする方法。
【請求項４３】
請求項４２に記載の方法が更に、前記持ち運び可能な電子デバイスに一体化されたコンピュータでアクセス可能なメモリへ、及び／又は、このメモリから参照情報を転送するステップ：ｉ）第２の持ち運び可能な電子デバイスと一体化された、ｉｉ）パーソナルコンピュータに一体化された、ｉｉｉ）無線あるいは有線で、あるいは、ｉｖ）インターネットを用いた、コンピュータでアクセス可能なメモリから、及び／又は、このメモリへ参照情報を提供するステップのいずれか一つの方法ステップを具えることを特徴とする方法。
【請求項４４】
請求項３４に記載の方法において、前記持ち運び可能な信号受信デバイスと、前記持ち運び可能な出力デバイスが：共通の封印、有線カップリング、無線カップリング、のうちの少なくとも一つを兼用していることを特徴とする方法。
【請求項４５】
請求項３４に記載の方法において、コンピュータアクセス可能なメモリに対する参照情報の提供、及び／又は、前記持ち運び可能な信号受信デバイスに対する前記信号の入力が：無線周波数の同定手段、単一の導電体上のデータおよびパワーの送信、キーボード手段、音響入力、音声認識、画像形成手段、又は電気的に動作可能なディスプレイからのメニュー選択、のうちの少なくとも一つを具えることを特徴とする方法。
【請求項４６】
請求項３４に記載の方法において、前記出力情報が：記述情報、電子的に発生した音声、電気的に動作可能なディスプレイ上の情報、インディケータに関連するキーによってキーに視覚的に関連付けられたインディケータの始動、特徴兆候、形状、色またはバックグラウンドに関する情報、のうちの少なくとも一つを具えることを特徴とする方法。